(57)【要約】      （修正有）【課題】顔肌の皮脂や汚れ等の残骸物をハード的に除去することによって、顔肌を傷めるという課題を解決することとした。【解決手段】化粧水を収納するカップを装備すると共に、滴下された化粧水が引き込まれる導管をスプレー本体に内蔵し、この導管内に炭酸ガスを供給して炭酸混合化粧水をスプレー本体先端の噴出ノズルから霧状に噴出させることとしたから、炭酸成分が顔肌の毛細血管に作用して該血管を拡張し、皮脂や汚れ等の残骸物を顔肌からソフト的に遊離させて取り除き、より若々しく美しい顔肌を指向する美顔器。【選択図】なし【特許請求の範囲】
【請求項１】
所定量の化粧水を収納するカップと、このカップを装備すると共に、滴下された化粧水が引き込まれる導管を内蔵し、且つ該導管の先端に設けられた噴出ノズルを有するスプレー本体と、更にこの導管内において前記滴下化粧水と混合して該炭酸混合化粧水を噴出ノズルから霧状に噴出させる炭酸ガス供給用ボンベと、この炭酸ガス供給用ボンベと前記スプレー本体内の導管とを接続する炭酸ガス供給用パイプと、而も該スプレー本体に備えられた炭酸混合化粧水の噴出調整用摘子とで成したことを特徴とする美顔器。
【請求項２】
炭酸ガス供給用ボンベを直立収納する筒部と、該炭酸ガス供給用ボンベに連結されたガス供給用パイプを収納すると共に、化粧水収納カップを備えたボックス部と、該パイプを前面から進退自在に引出すと共に、後部の炭酸ガス供給用ボンベ及び化粧水収納カップを遮蔽する前板とで構成されたデスクトップ器体と、この前板から引出した炭酸ガス供給用パイプに接続されたスプレー本体と、更にデスクトップ器体に備えられた炭酸混合化粧水の噴出調整用摘子とで成したことを特徴とする美顔器。
【請求項３】
導管の前方に化粧水収納カップを位置させ、後方端に該導管の内孔を進退自在に移動する様に装備される噴出調整用摘子を位置させ、更に噴出調整用摘子と化粧水収納カップとの間に炭酸ガス供給用パイプの引込口を位置させたことを特徴とする請求項１記載の美顔器。
【請求項４】
化粧水収納カップと炭酸ガス供給用パイプの引込口との間に、操作レバーにて上下にスライドして導管の内孔を開閉するシャッター板を介在させたことを特徴とする請求項１記載の美顔器。
【請求項５】
導管内孔の炭酸ガスが化粧水収納カップ側に流入しない様、該化粧水収納カップの滴下口に逆止弁を装備したことを特徴とする請求項１記載の美顔器。
【請求項６】
スプレー本体を、握手部とこの握手部に対し直行する筒部とで構成し、この筒部の内部に導管を長手方向に内蔵配置すると共に噴出調整用摘子を後端に装備し、更に炭酸ガス供給用ボンベからのガス供給用パイプを前記握手部の内部を挿通して導管に接続し、且つ握手部にシャッター板を上下にスライドする操作レバーを装備したことを特徴とする請求項１記載の美顔器。
【発明の詳細な説明】
【技術分野】
【０００１】  本発明は化粧水と炭酸ガスとの混合液を顔肌に噴霧状に吹き付ける美顔器に関する。
【背景技術】
【０００２】  近時、遊離炭酸を含有する炭酸泉に入浴すると、炭酸泉内の炭酸成分が皮膚下の毛細血管に作用してこの毛細血管を拡張させ、これにより入浴者の血行が改善されて入浴者の疲労回復や健康増進が図れることは、既に広く知られている。
そこで、この炭酸成分が皮膚下の毛細血管に作用してこの毛細血管を拡張させる効能を利用して、化粧水と共に混合液を顔肌に吹き付けると共に、皮脂や汚れ等の残骸物を顔肌から遊離させて取り除き、より若々しく美しい顔肌を指向する。
一般的な美顔器として、例えば下記技術文献１及び２が存在する。
これらは、単にスチーム噴射、更には顔肌に吸引パットを添わせて顔肌の残骸物をハード的に除去させるものであり、顔肌へのソフト的な癒しは考慮されておらず、却って顔肌を傷めることも否定できなかった。【０００３】
【特許文献】実用新案出願公告昭６３−４８２６５号・・・技術文献１  特開２０００−１９７５１９号・・・技術文献２
【発明の開示】
【発明が解決しようとする課題】
【０００４】  本発明は、顔肌の皮脂や汚れ等の残骸物をハード的に除去することによって、顔肌を傷めるという課題を解決することとした。
【課題を解決するための手段】
【０００５】  本発明は上記課題を解決するため、化粧水を収納するカップを装備すると共に、滴下された化粧水が引き込まれる導管をスプレー本体に内蔵し、この導管内に炭酸ガスを供給して炭酸混合化粧水をスプレー本体先端の噴出ノズルから霧状に噴出させることとしたから、炭酸成分が顔肌の毛細血管に作用して該血管を拡張し、皮脂や汚れ等の残骸物を顔肌からソフト的に遊離させて取り除き、より若々しく美しい顔肌を指向する美顔器。
【発明の効果】
【０００６】（１）請求項１により、スプレー本体の噴出ノズルから霧状に噴出した炭酸成分の混合化粧水が顔肌の毛細血管に作用して該血管を拡張し、皮脂や汚れ等の残骸物を顔肌からソフト的に遊離させて取り除き、より若々しく美しい顔肌を指向することができ、而してその噴出量はその噴出調整用摘子にて使用者の所望に応じ適宜調整できる。
（２）請求項２により、デスクトップ器体としてその前板にて後部に直立した炭酸ガス供給用ボンベを遮蔽して違和感を無くすると共に、而もスプレー本体とボンベを連結するガス供給用パイプを前板から進退自在に引出すことができ使用しない時は、邪魔にならず使い勝手良い。
（３）請求項４により、操作レバーの操作によってシャッター板が導管の内孔を開閉し、炭酸ガス供給の制御が簡単に行える。
（４）請求項５により、化粧水収納カップの滴下口に装備された逆止弁にて炭酸ガスの化粧水収納カップ側への流入を防止し、適正な炭酸成分の混合化粧水が得られる。
（５）請求項６により、スプレー本体、ガス供給用パイプを内部に挿通し、且つ操作レバーを備えた握手部、スプレー本体後端の噴出調整用摘子と夫々の配置によって美顔器全体のバランスと使用操作勝手が良い。
【発明を実施するための最良の形態】
【０００７】  以下本発明を実施形態の図面に基づいて説明する。図１は美顔器の使用状態を示す斜視図であって、使用者が手先Ｈにてスプレー本体１の握手部２を保持している。
図２は、美顔器の全体構成図である。而して具体的には図３及び４に示す如く、スプレー本体１には握手部２と直行する筒部３を内蔵配置している。この筒部３は導管４を主として成している。
而してこの導管４の前方位置には所定量の化粧水Ｗを収納するカップ５を装備している。この化粧水Ｗとしては、例えば一般化粧剤にゲルマニウム粒子を混合させれば、炭酸成分の保湿性と美白効果が一層強まり、美容目的、即ちソフト的効能が一層好適となる。このカップ５はキャップ６と導管４にねじ込まれる下端の滴下口７とより成っている。また、導管４の先端には噴出ノズル８が設けられている。【０００８】  スプレー本体１の握手部２には、炭酸ガス供給用ボンベＢに連結されたガス供給用パイプ９を収納し、その引込口１０を導管４に接続している。
また、この握手部２には反転自在に軸１１にて支持された操作レバー１２が装備されており、リンク１３にて上下にスライドして導管４の内孔４ａを開閉するシャッター板１４に連携している。
このシャッター板１４は、化粧水収納カップ５と炭酸ガス供給用パイプ９の引込口１０との間に位置し、操作レバー１２の引き付けによりリンク１３を介して縦溝１５を下方向にスライドし、導管４の内孔４ａを開く。
更に導管４の後方端には内孔４ａを進退自在に移動する様に噴出調整用摘子１６を装備している。具体的には、内孔４ａの端部４ｂと調整用摘子１６の先端１６ａとを共にテーパー状に形成している。【０００９】  この噴出調整用摘子１６と化粧水収納カップ５との間に炭酸ガス供給用パイプ９の引込口１０が位置している。
続いて、導管４の内孔４ａには、化粧水収納カップ５の滴下口７に逆止弁１７が装備されており、炭酸ガスが化粧水収納カップ５側に流入するのを防止し、適正な炭酸成分の混合化粧水が得られる。この逆止弁１７としては薄膜の合成樹脂にて成型する。
また、導管４の先端噴出ノズル８にはパッキン１８にてシールドするカップリング１９を螺着する。更に、噴出ノズル８には顔肌に添わせる吸引パット２０を適宜装着する。勿論、この吸引パット２０を使用せずして直接顔肌に噴出ノズル８からの噴霧混合化粧水を吹き付けてもよい。【００１０】  図５は、炭酸ガス供給用ボンベＢを直立収納する筒部２１と、該炭酸ガス供給用ボンベＢに連結されたガス供給用パイプ９を収納すると共に、化粧水収納カップ５を備えたボックス部２２と、該パイプ９を前面から進退自在に引出すと共に、後部の炭酸ガス供給用ボンベＢ及び化粧水収納カップ９を遮蔽する前板２３とで構成されたデスクトップ器体Ｘとした他の実施例であって、この前板２３から引出した炭酸ガス供給用パイプ９にスプレー本体１を接続しおり、更にデスクトップ器体Ｘの前板２３には炭酸混合化粧水の噴出調整用摘子１６を備えている。また、この前板２３に鏡２４を装備し、スプレー本体１を収納するホルダー２５を設けている。
【使用動作説明】
【００１１】  次に本発明美顔器の使用順序を説明すると、図１に示す如く顔肌に噴出ノズル８を向けると共に、操作レバー１２を引く。
この操作レバー１２を引くことによりシャッター板１４が降下し、炭酸ガス供給用ボンベＢからのガスが供給用パイプ９を通して導管４の内孔４ａを直進し、化粧水収納カップ５からの化粧水を誘引して混合化粧水として噴出ノズル８から一気に噴霧状に顔肌に吹き付ける。勿論、そのガス噴出量、噴出度は噴出調整用摘子１６にて適度に調整する。
更に、使用を中止または終了する時は、操作レバー１２の引きを解けば、シャッター板１４が上昇して導管４の内孔４ａを閉塞し炭酸ガス供給を断つこととなる。
【図面の簡単な説明】
【００１２】
【図１】美顔器の使用状態を示す斜視図
【図２】美顔器の全体構成図
【図３】スプレー本体の断面図
【図４】同上の部分拡大断面図
【図５】異なる実施例を示す斜視図
【符号の説明】
Ｈ    使用者の手先
Ｂ    炭酸ガス供給用ボン
１    スプレー本体
２    握手部
３    筒部
４    導管
５    化粧水収納カップ
７    滴下口
８    噴出ノズル
９    ガス供給用パイプ
１０  引込口
１２  操作レバー
１３  リンク
１４  シャッター板
１６  噴出調整用摘子
１７  逆止弁
２１  筒部
２２  ボックス部
２３  前板